(57)【要約】【課題】本体部に対するカバーの取り付け／取り外しが容易で、しかも、本体部に接続されたコードを取り外さなければ、カバーを取り外せないように構成したことにより、感電事故の防止、装置本体の損傷を防ぐことができる脱着機構及びそれを用いた電子装置を提供する。【解決手段】電源コード１５の接続部１６を有する本体部１２に対し、接続部１６に接続される電源コード１５の貫通部１７を有するカバー１３を、貫通部１７に電源コード１５を貫通させた状態で一体的に係止させ、かつ任意に分離させることが可能な脱着機構であって、本体部１２とカバー１３との間に構成され、カバー１３の、本体部１２との一体的な係止状態から接続部１６に接続された電源コード１５の長手方向に沿う第１の方向Ｂへの移動を許容し、この第１の方向Ｂと直交し、接続部１６に接続された電源コード１５の干渉により移動が阻止される第２の方向Ｃへの移動により、本体部１２からの分離を可能とする。【選択図】図１
2011138984.tif 000002
【特許請求の範囲】
【請求項１】
電源コードの接続部を有する本体部に対し、前記接続部に接続される電源コードの貫通部を有するカバーを、前記貫通部に前記電源コードを貫通させた状態で一体的に係止させ、かつ任意に分離させることが可能な脱着機構であって、
前記本体部とカバーとの間に構成され、前記カバーの、前記本体部との一体的な係止状態から前記接続部に接続された電源コードの長手方向に沿う第１の方向への移動を許容し、
この第１の方向と直交し、前記接続部に接続された電源コードの干渉により移動が阻止される第２の方向への移動により、前記本体部からの分離を可能とする
ことを特徴とする脱着機構。
【請求項２】
内部に電子機器が実装され、外部に対する電源コードの接続部を有する本体部と、前記接続部に接続される電源コードの貫通部を有し、前記本体部を覆うカバーとを備えた電子装置であって、
前記本体部とカバーとの間に構成され、前記カバーを、前記本体部に対して一体的に係止させると共に、この係止状態からの分離に当っては、前記カバーの、前記接続部に接続された電源コードの長手方向に沿う第１の方向への移動を許容し、この第１の方向へ移動したカバーを、この第１の方向と直交し、前記接続部に電源コードが接続されていると、この接続された電源コードとの干渉により移動が阻止される第２の方向へ移動させることにより、前記本体部からの分離を可能とする脱着機構を有する
ことを特徴とする電子装置。
【発明の詳細な説明】
【技術分野】
【０００１】
本発明は、電源コードの接続部を有する本体部に対し、この接続部に接続される電源コードの貫通部を有するカバーを、この貫通部に電源コードを貫通させた状態で一体的に係止させ、かつ任意に分離させることが可能な脱着機構及びそれを用いた電子装置に関する。
【背景技術】
【０００２】
一般に、ＰＯＳなどの情報システムに用いられる電子装置は、各種の電子機器を収容した本体ケースに対し、これを覆うカバーを一体的に取り付けて構成されていた。このような電子装置において、従来、電源コードが電源に接続されたままの状態であっても、容易にカバーを脱着できたため、保守作業する作業者が感電する虞があったり、誤って装置を損傷させてしまうことがあった。
【０００３】
そこで、装置の一部を開けて基板等の交換、付加の際、電源が落ちるようにして、感電の防止、基板等の損傷等防ぐ構造が提案されている（例えば、特許文献１参照）。
【０００４】
この従来例では、本体後方に電源のＡＣインレットが設けられ、ここに電源コードが差し込まれるようになっている。本体に取り付けられる下部カバーの一部は、ＡＣインレットの周囲に回り込んで形成されており、電源コードをＡＣインレットに差し込んだままでは下部カバーを取り外せない構造となっている。
【先行技術文献】
【特許文献】
【０００５】
【特許文献１】特開平３−２３４６９１号公報
【発明の概要】
【発明が解決しようとする課題】
【０００６】
上記した特許文献１に開示された従来技術では、下部カバーの取り外しについては配慮されているが、下部カバーは電源が印加される部分の一部を覆うのみであり、他の部分については電源コードの接続状態とは関係なく露出することとなり、危険防止の上で十分なものではなかった。
【０００７】
また、下部カバーは、本体からの分離時は、本体から離れる一方向のみの移動で分離されるので、電源コードをＡＣインレットから取り外した状態では、下部カバーは本体に対して自由に取り外せる状態となる。このようなカバー取り付け構造を、充電部を有する本体部を覆うカバーの脱着構造として採用した場合、通常の使用時においてカバーを本体に対して一体的に固定するためには、例えば、平面形状が矩形のカバーであれば、四隅近くの少なくとも４箇所において、本体にねじ止めしなければならない。このようにねじ止め箇所が多くなると、本体に対するカバーの取り付け／取り外し作業が面倒となり、多くの作業時間を要することとなる。
【０００８】
本発明の目的は、本体部に対するカバーの取り付け／取り外しが容易で、しかも、本体部に接続されたコードを取り外さなければ、カバーを取り外せないように構成したことにより、感電事故の防止、装置本体の損傷を防ぐことができる脱着機構及びそれを用いた電子装置を提供することにある。
【課題を解決するための手段】
【０００９】
本発明による脱着機構は、電源コードの接続部を有する本体部に対し、前記接続部に接続される電源コードの貫通部を有するカバーを、前記貫通部に前記電源コードを貫通させた状態で一体的に係止させ、かつ任意に分離させることが可能な脱着機構であって、前記本体部とカバーとの間に構成され、前記カバーの、前記本体部との一体的な係止状態から前記接続部に接続された電源コードの長手方向に沿う第１の方向への移動を許容し、この第１の方向と直交し、前記接続部に接続された電源コードの干渉により移動が阻止される第２の方向への移動により、前記本体部からの分離を可能とすることを特徴とする。
【００１０】
また、本発明による電子装置は、内部に電子機器が実装され、外部に対する電源コードの接続部を有する本体部と、前記接続部に接続される電源コードの貫通部を有し、前記本体部を覆うカバーとを備えた電子装置であって、前記本体部とカバーとの間に構成され、前記カバーを、前記本体部に対して一体的に係止させると共に、この係止状態からの分離に当っては、前記カバーの、前記接続部に接続された電源コードの長手方向に沿う第１の方向への移動を許容し、この第１の方向へ移動したカバーを、この第１の方向と直交し、前記接続部に電源コードが接続されていると、この接続された電源コードとの干渉により移動が阻止される第２の方向へ移動させることにより、前記本体部からの分離を可能とする脱着機構を有することを特徴とする。
【発明の効果】
【００１１】
本発明によれば、カバーを互いに直交する２方向に移動させて本体部に対して脱着させるように構成したので、複数の取り付けねじ操作を要することなく容易に脱着することができ、しかも、本体部に接続されたコードを取り外さなければカバーを取り外せないようにしたので、保守作業者の感電事故を確実に防止でき、安全性を向上させることができる。
【図面の簡単な説明】
【００１２】
【図１】本発明による電子装置の一実施の形態を示す外観斜視図である。
【図２】図１で示した電子装置におけるカバーの本体部への係止状態における電源コード接続状態を示す部分斜視図である。
【図３】図１で示した電子装置におけるカバーを第１の方向に移動させた状態を電源コード接続状態について示す部分斜視図である。
【図４】図１で示した電子装置におけるカバーを第１の方向に移動させた状態を電源コード接続状態について示す内部構成図である。
【図５】本発明による脱着機構の一実施の形態を、係止状態について示す部分斜視図である。
【図６】本発明による脱着機構の一実施の形態を、第１の方向に移動させた状態について示す部分斜視図である。
【図７】図６で示した係合部を拡大して示す部分斜視図である。
【発明を実施するための形態】
【００１３】
以下、本発明による脱着機構及びそれを用いた電子装置の一実施の形態を、図面を用いて詳細に説明する。
【００１４】
図１乃至図３はこの実施の形態に係る、例えばＰＯＳ等の電子装置の外観形状を示している。この電子装置１１は、少なくとも上面が開放された筐体状をなす本体部１２と、この本体部１２の開放された上面、両側面、及び背面（図１の手前側の面、以下、本体背面部とも呼ぶ））１２ａの一部を覆うカバー１３とを有する。
【００１５】
本体部１２の内部には、電子装置１１としての所定の機能を実現するため、図４で示すように、各種の電子機器１４が実装されている。また、この本体部１２の背面１２ａには、図２及び図３で示すように、電源コード１５の先端プラグ部が差し込まれる接続部（以下、電源インレットとも呼ぶ）１６が設けられている。このほか、本体部１２の背面１２ａには外部との接続用ターミナル部やスイッチ類が設置され、その板面には多数の通気孔が形成されている。
【００１６】
カバー１３は、前述のように本体部１２の上面、両側面、及び背面１２ａの一部を覆うように形成されている。このうち背面１２ａの一部を覆う部分とは、図１で示すように、本体背面部１２ａの上辺部及び左右両側部分を覆う部分であり、この部分をカバー背面部１３ａとする。そして、このカバー背面部１３ａの、図示右側の電源インレット１６との対向面には、この電源インレット１６に接続される電源コード１５の貫通部１７が形成されている。この貫通部１７の貫通面積は、電源コード１５の先端に設けられた大径のプラグ部分が貫通できる大きさに設定する。
【００１７】
カバー１３と本体部１２との間には、カバー１３を本体部１２に対して一体的に取り付けると共に、この本体部１２から任意に分離することができる脱着機構が設けられている。この脱着機構の詳細は後述するが、この脱着機構は、カバー１３を本体部１２に対し、その前後方向（図１の矢印Ａ、Ｂ方向）に一定範囲スライド可能に構成している。図１は、カバー１３が、図１の矢印Ａ方向に所定範囲前進して、その前縁部が本体部１２の前縁部と略重なる状態となっている。この状態では、後述する脱着機構により、カバー１３は本体部１２に対し一体的に係止されている。したがって、カバー１３は本体部１２に対し、カバー背面部１３ａと本体部背面１２ａとの間に螺着される１本のねじ１８のみにより固定することができる。
【００１８】
このカバー１３を本体部１２から取り外す場合は、１本のねじ１８を取り外したのち、先ず、カバー１３を本体部１２に対して、図１の矢印Ｂ方向へ所定範囲後退させる。この後退方向Ｂは、本体部１２の接続部１６に接続された電源コード１５の長手方向に沿う方向であり、これを第１の方向Ｂと呼ぶ。この後退操作により、図２で示すように、当初、本体背面部１２ａに密接していたカバー背面１３ａは、図３及び図４で示すように、本体背面部１２ａから、後退分に相当する距離離間する。また、この後退操作により、後述する脱着機構により、カバー１３は本体部との係止状態が解除される。そこで、次にカバー１３を上方（図１の矢印Ｃ方向）に移動させ、カバー１３を本体部１２から取り外す。このカバー１３の上方への移動方向は、前記第１の方向Ｂに直交する方向であり、これを第２の方向Ｃと呼ぶ。
【００１９】
このとき、本体部１２の電源インレット１６に電源コード１５が接続されたままの状態であると、この電源コード１５は図３及び図４で示すように、カバー背面部１３ａに形成された貫通部１７を貫通しているため、カバー１３はこの電源コード１５により上昇を阻止される。したがって、電源コード１５が電源インレット１６に接続され、本体部１２内に電源が供給された状態でのカバー１３の取り外しを防止でき、作業者を感電事故などから確実に保護することができる。
【００２０】
すなわち、本体部１２とカバー１３との間に構成された脱着機構は、カバー１３の、本体部１２からの分離に当って、先ず、カバー１３の、接続部１６に接続された電源コード１５の長手方向に沿う第１の方向Ｂへの移動を許容し、本体部１２との係止状態を解除させる。その後、この第１の方向Ｂへ移動したカバー１３を、この第１の方向Ｂと直交する第２の方向Ｃへ移動させることにより、本体部１２から取り外すことができる。ただし、接続部１６に電源コード１５がされていると、この接続されたコード１５との干渉により、カバー１３の第２の方向Ｃの移動が阻止され、カバー１３を取り外せないように構成している。
【００２１】
次に、上述した脱着機構の具体的構造を図５乃至図７を用いて説明する。図５及び図６において、１３ｂはカバー１３の側面（以下、カバー側面部と呼ぶ）であり、１２ｂは本体部１２の側面（以下、本体側面部と呼ぶ）である。これらは互いに接合し、かつ、前述した前後方向（図１のＡ，Ｂ方向）にそれぞれ互いにスライド可能に構成されている。
【００２２】
カバー側面部１３ｂの内面、すなわち、本体側面部１２ｂとの接合面には、前後方向に複数個（図の例では３個）の係合片１９が設けられている。この係合片１９は、図７で示すように、断面Ｚ字状を成しており、このＺ字の一辺１９ａはカバー側面部１３ｂの内面に一体に接合されている。また、他辺１９ｂはカバー側面部１３ｂの内面との間に、下向きに開溝する係合溝を形成する。この係合溝の溝間隔は、本体側面部１２ｂの板厚よりわずかに大きく設定する。
【００２３】
一方、本体側面部１２ｂには、これら係合片１９と組み合わされる係合部２０がそれぞれ形成されている。この係合部２０は、図７で示すように、係合片１９の他辺部１９ｂが遊嵌する大きさの面積を有する開口２０ａと、この開口２０ａから本体部１２の前方（図示左方）に向かって形成されたスリット２０ｂとからなる。この開口２０ａは、カバー１３が後退位置にあるとき、図６で示すように、係合片１９の他辺部１９ａが遊嵌する位置に形成されている。また、スリット２０ｂは、カバー１３が前進位置にあるとき、図５で示すように係合片１９の他辺部１９ｂが形成する係合溝と係合し、カバー１３を本体部１２に係止させている。
【００２４】
上記構成において、通常の使用状態では、図１、図２及び図５で示すように、カバー１３は本体部１２に対して前進位置にあり、カバー背面部１３ａは本体背面部１２ａと接合した状態にある。このとき本体部１２の電源インレット１６には、カバー背面部１３ａに形成されたコード貫通部１７を通って図２で示すように電源コード１５が接続されており、本体部１２内に電源を供給している。また、このとき、カバー側面部１３ｂの内面に設けられた係合片１９の他辺部１９ｂは、図５で示すように、係合部２０のスリット２０ｂと係合しており、カバー１３は本体部１２に一体的に係止されている。このため、カバー１３は、図1で示すように、そのカバー背面部１３ａと本体背面部１２ａとの間に螺着した１本のねじ１８のみにより、本体部１２に固定することができる。
【００２５】
保守点検作業などのために、カバー１３を本体部１２から取り外す場合は、先ず、１本のねじ１８を取り外す。この後、カバー１３を、図１及び図５で示す矢印Ｂ方向（第１の方向）にスライドさせる。このスライド操作により、図５で示したように、スリット２０ｂ内に位置し、係合状態であった係合片１９は、スリット２０ｂに沿って図示右方に移動し、最終的に図６及び図７で示すように、係合部２０の開口２０ａ内に位置する。この開口２０ａは、前述のように、係合片１９の他辺部１９ｂが遊嵌する大きさの面積を有するので、カバー１３の両側面部の下側を僅かに外方に開くことにより、係合片１９を開口２０ａから外すことができ、カバー図１、図４及び図７で示す矢印Ｃ方向（第１の方向に直交する第２の方向）に持ち上げて本体部１２から取り外すことができる。
【００２６】
しかし、電源コード１５が図３及び図４で示すように、本体部１２の電源インレット１６に接続されたままであると、この電源コード１５はカバー背面部１３ａに形成された貫通部１７を通っていることから、カバー１３の矢印Ｃ方向（第２の方向）への移動が電源コード１５により阻止される。したがって、電源コード１５が電源インレット１６に接続され、本体部１２内の電子機器に課電された状態で、カバー１３が開くことはなく、保守作業者の感電事故を確実に防止でき、安全性が向上すると共に、基板などの機器の損傷を防止できる。
【００２７】
なお、カバー１３の本体部１２への装着作業は、上述した一連の取り外し作業の逆を行えばよい。すなわち、カバー１３を前述したＣ方向と反対向きに移動させてカバー側面部１３ｂに設けた係合片１９を、本体側面部に形成した係合部２０の開口２０ａ内に嵌め合わせる。この嵌め合わせ操作は、係合片１９及びカバー側面部１３ｂが有する弾性により容易に行うことができる。その後は、カバー１３を図１で示す矢印ａ方向に移動させることにより、係合片１９はスリット２０ｂ内をスライドして図５で示すように係合する。この操作により、カバー１３は、本体ケース１２に一体的に係止される。その後は、図１で示す１本のねじ１８を締め付けることによりカバー１３は本体ケース１２上に固定される。そして、カバー背面部１３ａに形成された貫通部１７を通して、図２で示すように電源コード１５を本体背面部１２ａに設けられた電源インレット１６に接続することにより本体部１２内に設けられ電子部品１４に対し電源が供給され、動作可能状態となる。
【００２８】
このように、カバー１３を本体部１２に対し互いに直交する２方向に移動させるだけで、カバー１３を本体部に一体的に係止させたり、この係止状態から分離させることができるので、カバーの固定用として１本のねじ１８を取り扱えばよい。したがって、従来のように多数のねじを用いてカバーを固定する必要はなく、カバー１３の脱着操作が容易となる。また、カバー１３を本体部１２から取り外す場合は、電源コード１５が接続されている状態では、カバー１３の取り外しが阻止されることから、保守作業者の感電事故などを確実に防止でき、安全性がより向上する。
【符号の説明】
【００２９】
１１…電子装置
１２…本体部
１２ａ…本体背面部
１２ｂ…本体側面部
１３…カバー
１３ａ…カバー背面部
１３ｂ…カバー側面部
１４…電子部品
１５…電源コード
１６…接続部（電源インレット）
１７…貫通部
１８…固定用のねじ
１９…係合片
２０…係合部
２０ａ…開口
２０ｂ…スリット
【図１】
2011138984.tif 000003
【図２】
2011138984.tif 000004
【図３】
2011138984.tif 000005
【図４】
2011138984.tif 000006
【図５】
2011138984.tif 000007
【図６】
2011138984.tif 000008
【図７】
2011138984.tif 000009